(57)【特許請求の範囲】
【請求項１】
エアーの供給、排気により膨張、収縮する複数の空気室と、その外側のクリップ板と、これらが内装された帯部と、各空気室にエアーを供給する加圧ポンプと、エアー供給する空気室を切り替える切替弁と、各空気室からエアーを排出する排気弁と、各空気室の膨張、収縮によるマッサージ動作を制御する制御回路と、マッサージ動作を操作するための操作部で構成され、前記帯部を施療部位に装着してマッサージをおこなうマッサージ器であって、空気室の外側のシートの厚みを内側のシートの厚みより厚くし、空気室の外側に一側方が開放されて前記帯部の端部が差し込まれるポケット用のシートを配し、ポケット用のシートを含む各シートの外周溶着部は一枚毎外方へずらして溶着して成ることを特徴とするエアーマッサージ器。
【請求項２】
多重に溶着される各シートのうち、対向して接するシートの面の少なくとも一方が梨地の凹凸面に形成されて成ることを特徴とする請求項１記載のエアーマッサージ器。
【請求項３】
多重に溶着される各シートの片面が梨地の凹凸面に形成され、梨地の凹凸面と鏡面側とを交互に重ねることを特徴とする請求項２記載のエアーマッサージ器。
【発明の詳細な説明】
【０００１】
【発明の属する技術分野】
本発明は、エアーマッサージ器に関し、詳しくは、シートを多重に溶着して空気室を形成する場合に、多重シートの各溶着部の強度をほぼ等しくして各空気室の強度をほぼ等しくしようとする技術に係るものである。
【０００２】
【従来の技術】
従来、多重の空気室を形成する際に、シートを重ねた多重シートを同一箇所において溶着するものである。
【０００３】
【発明が解決しようとする課題】
ところで、シートを重ねた多重シートを同一箇所において溶着する場合に、各シートの溶融状態を均一にし難いことから、各シート間の溶着部の強度を等しくすることができず、溶着部の強度にばらつきが生じ、この結果、エアーマッサージ器における空気室の寿命が短いものとなっていた。
【０００４】
又、従来のエアーマッサージ器においては、空気室の形成する対向するシートの厚さが等しいものであることから、内外のシートが等しく膨張して空気室を膨張させる場合に多量の空気を必要とするものである。
【０００５】
更に、空気室を構成するシートが密着してエアーが入り難いものとなっていた。
【０００６】
本発明はこのような問題に鑑みてなされたものであり、シートを多重に溶着して空気室を形成する場合に、多重シートの各溶着部の強度をほぼ等しくして多重の空気室の強度をほぼ等しくすることを主たる目的とし、又、空気室を外に膨張させるための空気量を少なくすることを他の目的とし、更に、空気室を構成するシートが密着することがないようにして空気室にエアーを円滑に供給することができるようにすることを更に他の目的とするエアーマッサージ器を提供することを課題とするものである。
【０００７】
【課題を解決するための手段】
請求項１においては、エアーの供給、排気により膨張、収縮する複数の空気室１ａ、１ｂと、その外側のクリップ板２と、これらが内装された帯部３と、各空気室１ａ、１ｂにエアーを供給する加圧ポンプ４と、エアー供給する空気室１ａ、１ｂを切り替える切替弁５と、各空気室１ａ、１ｂからエアーを排出する排気弁６と、各空気室１ａ、１ｂの膨張、収縮によるマッサージ動作を制御する制御回路７と、マッサージ動作を操作するための操作部８で構成され、前記帯部３を施療部位に装着してマッサージをおこなうマッサージ器であって、空気室１ａの外側のシート９ａの厚みを内側のシート９ｂの厚みより厚くし、空気室１ａの外側に一側方が開放されて前記帯部３の端部が差し込まれるポケット用のシート９ｃを配し、ポケット用のシート９ｃを含む各シート９ａ、９ｂ、９ｃの外周溶着部１０ａ、１０ｂは一枚毎外方へずらして溶着してあることを特徴とするものである。このような構成によれば、多重に溶着した各シート９ａ、９ｂ、９ｃの外周溶着部１０ａ、１０ｂは一枚毎に外方にずれていて、各外周溶着部１０ａ、１０ｂにおいては、二枚ずつの溶着となり、従来のように弱い強度の部分が生じるのを防止することができ、したがって、多重の空気室１ａを備えたエアーマッサージ器の空気室１ａの強度を安定化させることができる。
【０００８】
また、請求項１においては、空気室１ａの外側に一側方が開放されて帯部３の端部が差し込まれるポケット用のシート９ｃを空気室１ａの溶着部１１の外周端に溶着していることを特徴とするものである。このような構成によれば、空気室１ａの溶着に影響を与えないで所定の溶着強度を保ちながら、ポケット用のシート９ｃの溶着を強度を維持しておこなうことができる。
【０００９】
更に、請求項１においては、空気室１ａの外側のシート９ａの厚みが内側のシート９ｂの厚みより厚くしてあることを特徴とするものである。このような構成によれば、身体側の内側の薄いシート９ｂが外側の厚いシート９ａに比べてより多く膨張することから、充分な押圧力をえながら空気量を少なくすることができる。
【００１０】
請求項２においては、多重に溶着される各シート９ａ、９ｂ、９ｃのうち、対向して接するシート９ａ、９ｂの面の少なくとも一方が梨地の凹凸面１２に形成されていることを特徴とするものである。このような構成によれば、各空気室１ａ、１ｂのシート９ａ、９ｂは密着することがなく、空気室１ａ、１ｂへの空気の供給を円滑におこなうことができる。
【００１１】
請求項３においては、多重に溶着される各シート９ａ、９ｂ、９ｃの片面が梨地の凹凸面１２に形成され、梨地の凹凸面１２と鏡面側とを交互に重ねることを特徴とするものである。このような構成によれば、製造工程において加工前にシート９ａ、９ｂ、９ｃを重ねて置いたり、加工の後、部品を重ねて置く際にも部品同士がひっつくことがなく、作業を簡単におこなうことができる。
【００１２】
【発明の実施の形態】
以下、本発明の実施の形態を説明する。図１は一部破断した概略斜視図である。図２は帯部の斜視図である。図３は図２のＸ−Ｘ線断面図である。
【００１３】
エアーマッサージ器Ａは、例えば、人体のふくらはぎに装着してエアーにより空気室１ａ、１ｂを膨張・収縮してマッサージをおこなうものである。以下、詳述する。
【００１４】
エアーマッサージ器Ａは、エアーの供給、排気により膨張、収縮する複数の空気室１ａ、１ｂと、その外側のクリップ板２と、これらが内装された帯部３と、各空気室１ａ、１ｂにエアーを供給する加圧ポンプ４と、エアー供給する空気室１ａ、１ｂを切り替える切替弁５と、各空気室１ａ、１ｂからエアーを排出する排気弁６と、各空気室１ａ、１ｂの膨張、収縮によるマッサージ動作を制御する制御回路７と、マッサージ動作を操作するための操作部８で構成されている。しかして、帯部３をふくらはぎ等の施療部位に装着してマッサージをおこなうものである。符号１３はホースであり、加圧ポンプ４からの圧力エアーを空気室１ａ、１ｂへと供給するものである。１４は操作器本体である。
【００１５】
エアーマッサージ器Ａの空気室１ａ、１ｂはシート９ａ、９ｂ、９ｃを多重に溶着して構成されている。具体的には、図３に示すように、外側のシート９ａと内側のシート９ｂとを溶着し、この外周溶着部１０ａよりも外側においてポケット用のシート９ｃを溶着するのである。しかして、シート９ａ、９ｂ、９ｃを多重に溶着する際に、外周溶着箇所１０ａ、１０ｂは一枚毎外方へずらして溶着するのであり、各外周溶着部１０ａ、１０ｂにおいては、二枚ずつの溶着となり、各溶着部１０ａ、１０ｂの強度をほぼ等しくできるのである。つまり、従来のように弱い強度の部分が生じるのを防止するのであり、空気室１ａを備えたエアーマッサージ器の空気室１ａの強度を安定化させるものである。
【００１６】
ところで、実施の形態においては、上述のように、空気室１ａは一層で、空気室１ａの外側に一側方が開放されて帯部３の端部が差し込まれるポケット用のシート９ｃを空気室１ａの溶着部１１の外周端に溶着しているのであり、空気室１ａの溶着に影響を与えないで所定の溶着強度を保ちながら、ポケット用のシート９ｃの溶着を強度を維持しておこなうものである。
【００１７】
更に、実施の形態においては、外側のシート９ａの厚みが内側のシート９ｂの厚みより厚くしてあり、身体側の内側の薄いシート９ｂが外側の厚いシート９ａに比べてより多く膨張するのであり、充分な押圧力をえながら空気量を少なくすることができるものである。外側のシート９ａの厚みは例えば０．３ｍｍであり、内側のシート９ｂの厚みは例えば０．２ｍｍである。
【００１８】
図４は他の実施の形態を示し、但し、本実施の形態の基本構成は上記実施の形態と共通であり、共通する部分には同一の符号を付して説明は省略する。
【００１９】
本実施の形態においては、多重に溶着される各シート９ａ、９ｂ、９ｃのうち、対向して接するシート９ａ、９ｂの面の少なくとも一方、具体的には内側のシート９ａの内面が梨地の凹凸面１２に形成されているものである。
【００２０】
本実施の形態においては、各空気室１ａのシート９ａ、９ｂは密着することがなく、空気室１ａへの空気の供給を円滑におこなうことができるものである。
【００２１】
図５は更に他の実施の形態を示し、但し、本実施の形態の基本構成は上記実施の形態と共通であり、共通する部分には同一の符号を付して説明は省略する。
【００２２】
本実施の形態においては、溶着される各シート９ａ、９ｂの片面が梨地の凹凸面１２に形成され、梨地の凹凸面１２と鏡面側とを交互に重ねたものである。
【００２３】
本実施の形態においては、製造工程において加工前にシート９ａ、９ｂを重ねて置いたり、加工の後、部品を重ねて置く際にも、凹凸面１２と鏡面とが当接するのであり、部品同士がひっつくことがなく、作業を簡単におこなうことができるものである。
【００２４】
尚、図５においては、一層の空気室１ａとしたが、多層の空気室１ａにする場合に、より効果的となるものである。
【００２５】
【発明の効果】
請求項１においては、エアーの供給、排気により膨張、収縮する複数の空気室と、その外側のクリップ板と、これらが内装された帯部と、各空気室にエアーを供給する加圧ポンプと、エアー供給する空気室を切り替える切替弁と、各空気室からエアーを排出する排気弁と、各空気室の膨張、収縮によるマッサージ動作を制御する制御回路と、マッサージ動作を操作するための操作部で構成され、前記帯部を施療部位に装着してマッサージをおこなうマッサージ器であって、空気室の外側のシートの厚みを内側のシートの厚みより厚くし、空気室の外側に一側方が開放されて前記帯部の端部が差し込まれるポケット用のシートを配し、ポケット用のシートを含む各シートの外周溶着部は一枚毎外方へずらして溶着してあるから、多重に溶着した各シートの外周溶着部は一枚毎に外方にずれていて、各外周溶着部においては、二枚ずつの溶着となり、従来のように弱い強度の部分が生じるのを防止することができ、したがって、多重の空気室を備えたエアーマッサージ器の空気室の強度を安定化させることができるという利点がある。
【００２６】
また、請求項１においては、空気室の外側に一側方が開放されて帯部の端部が差し込まれるポケット用のシートを空気室の溶着部の外周端に溶着しているから、空気室の溶着に影響を与えないで所定の溶着強度を保ちながら、ポケット用のシートの溶着を強度を維持しておこなうことができるという利点がある。
【００２７】
更に、請求項１においては、空気室の外側のシートの厚みが内側のシートの厚みより厚くしてあるから、身体側の内側の薄いシートが外側の厚いシートに比べてより多く膨張することから、充分な押圧力をえながら空気量を少なくすることができるという利点がある。
【００２８】
請求項２においては、請求項１の構成に加えて、多重に溶着される各シートのうち、対向して接するシートの面の少なくとも一方が梨地の凹凸面に形成されているから、請求項１の効果に加えて、各空気室のシートは密着することがなく、空気室への空気の供給を円滑におこなうことができるという利点がある。
【００２９】
請求項３においては、請求項２の構成に加えて、多重に溶着される各シートの片面が梨地の凹凸面に形成され、梨地の凹凸面と鏡面側とを交互に重ねるから、請求項２の効果に加えて、製造工程において加工前にシートを重ねて置いたり、加工の後、部品を重ねて置く際にも部品同士がひっつくことがなく、作業を簡単におこなうことができるという利点がある。
【図面の簡単な説明】
【図１】本発明の実施の一形態の一部破断した概略斜視図である。
【図２】同上の帯部の斜視図である。
【図３】図２のＸ−Ｘ線断面図である。
【図４】同上の他の実施の形態の断面図である。
【図５】同上の更に他の実施の形態の断面図である。
【符号の説明】
１ａ    空気室
１ｂ    空気室
２      クリップ板
３      帯部
４      加圧ポンプ
５      切替弁
６      排気弁
７      制御回路
８      操作部
９ａ    シート
９ｂ    シート
９ｃ    シート
１０ａ  外周溶着部
１０ｂ  外周溶着部
【図１】
0003705082.tif 000002
【図２】
0003705082.tif 000003
【図３】
0003705082.tif 000004
【図４】
0003705082.tif 000005
【図５】
0003705082.tif 000006